(57)【要約】【課題】光軸が水平面に交差する姿勢においても、放電灯の劣化が抑制されるプロジェクターを提供する。【解決手段】プロジェクターは、放電灯および放電灯駆動部を備える。放電灯駆動部は、放電灯の光軸が水平面に沿う第１姿勢において、第１駆動電力Ｗ１を放電灯に供給する第１駆動、および第１駆動電力Ｗ１より大きな第２駆動電力Ｗ２を放電灯に供給する第２駆動を選択的に実行可能とし、光軸が水平面に交差する第２姿勢において、第３駆動電力Ｗ３以上、第４駆動電力Ｗ４以下の駆動電力を放電灯に供給し、第３駆動電力Ｗ３は、第２姿勢において、一対の電極のうち下側となる電極が第１姿勢での第１駆動における電極の第１温度Ｔ１に相当する温度になる駆動電力であり、第４駆動電力Ｗ４は、第２姿勢において、一対の電極のうち上側となる電極が第１姿勢での第２駆動における電極の第２温度Ｔ２に相当する温度になる駆動電力である。【選択図】図６
2015187682.tif 000002
【特許請求の範囲】
【請求項１】
光軸に沿って配置された一対の電極を有する放電灯と、前記放電灯に駆動電力を供給して前記放電灯を駆動させる放電灯駆動部と、備えるプロジェクターであって、
前記放電灯駆動部は、
前記光軸が水平面に沿う当該プロジェクターの第１姿勢において、第１駆動電力を前記放電灯に供給する第１駆動、および前記第１駆動電力より大きい第２駆動電力を前記放電灯に供給する第２駆動を選択的に実行可能とし、
前記光軸が水平面に交差する当該プロジェクターの第２姿勢において、第３駆動電力以上、第４駆動電力以下の駆動電力を前記放電灯に供給し、
前記第３駆動電力は、前記第２姿勢において、前記一対の電極のうち下側となる電極が前記第１姿勢での前記第１駆動における前記電極の第１温度に相当する温度になる駆動電力であり、
前記第４駆動電力は、前記第２姿勢において、前記一対の電極のうち上側となる電極が前記第１姿勢での前記第２駆動における前記電極の第２温度に相当する温度になる駆動電力であることを特徴とするプロジェクター。
【請求項２】
請求項１に記載のプロジェクターであって、
前記第２姿勢は、前記光軸が鉛直方向に沿う姿勢であることを特徴とするプロジェクター。
【請求項３】
請求項１または請求項２に記載のプロジェクターであって、
前記光軸が同一方向に沿って配置される複数の前記放電灯を備え、
前記放電灯駆動部は、
前記第１姿勢において、前記複数の放電灯に前記第１駆動電力および前記第２駆動電力を選択的に供給可能とし、
前記第２姿勢において、前記複数の放電灯に前記第３駆動電力以上、前記第４駆動電力以下の駆動電力を供給することを特徴とするプロジェクター。
【発明の詳細な説明】
【技術分野】
【０００１】
本発明は、プロジェクターに関する。
【背景技術】
【０００２】
従来、光源と、光源から射出された光を画像情報に応じて変調する光変調装置と、光変調装置で変調した光を投写する投写光学系とを備え、スクリーン等の投写面に画像を投写するプロジェクターが知られている。また、光源として放電灯を用い、姿勢を変えて画像を投写できるプロジェクターが提案されている（例えば、特許文献１参照）。
【０００３】
特許文献１に記載のプロジェクター（投写型液晶表示装置）は、放電灯（放電ランプ）を有する光源部、光源部からの光を変調する変調手段、変調手段によって変調された光を投写する投写光学手段、および投写方向変更手段を備える。
放電灯は、一対の電極を有し、この一対の電極への電圧印加軸が投写光学手段の光軸と直交してなり、この一対の電極間に電圧印加されることにより光を発する。そして、プロジェクターは、電圧印加軸が常に水平に保たれた状態で、設置面に対する投写光学手段の光軸の角度が変更されても投写可能に構成されている。
【先行技術文献】
【特許文献】
【０００４】
【特許文献１】特開平２−２３０２８８号公報
【発明の概要】
【発明が解決しようとする課題】
【０００５】
しかしながら、特許文献１に記載のプロジェクターでは、放電灯の電圧印加軸が水平に対して傾く姿勢、例えば、電圧印加軸が鉛直方向に沿う姿勢においては、放電灯が劣化する。すなわち、一対の電極間にアーク放電が発生することによって光を射出する放電灯は、アーク放電の発生によって、放電空間内に対流が生じ、この対流によって、鉛直方向における上側が下側より高温となる。つまり、電圧印加軸が水平の場合に比べ、上側に位置する電極は、より高温となり、下側に位置する電極は、より低温となる。このため、放電灯は、温度が上がり過ぎた電極の過剰な溶融や、温度が下がり過ぎた電極における放電の不安定等によって、輝度低下やちらつき等が発生する。
つまり、近年、プロジェクターの使用シーンを広げるために、放電灯の電圧印加軸が水平面に対して傾いた姿勢においても、投写可能とするプロジェクターが求められているが、特許文献１に記載のプロジェクターでは、電圧印加軸が水平面に対して傾いた姿勢において、放電灯が劣化するという課題がある。
【課題を解決するための手段】
【０００６】
本発明は、上述の課題の少なくとも一部を解決するためになされたものであり、以下の形態または適用例として実現することが可能である。
【０００７】
［適用例１］本適用例に係るプロジェクターは、光軸に沿って配置された一対の電極を有する放電灯と、前記放電灯に駆動電力を供給して前記放電灯を駆動させる放電灯駆動部と、備えるプロジェクターであって、前記放電灯駆動部は、前記光軸が水平面に沿う当該プロジェクターの第１姿勢において、第１駆動電力を前記放電灯に供給する第１駆動、および前記第１駆動電力より大きい第２駆動電力を前記放電灯に供給する第２駆動を選択的に実行可能とし、前記光軸が水平面に交差する当該プロジェクターの第２姿勢において、第３駆動電力以上、第４駆動電力以下の駆動電力を前記放電灯に供給し、前記第３駆動電力は、前記第２姿勢において、前記一対の電極のうち下側となる電極が前記第１姿勢での前記第１駆動における前記電極の第１温度に相当する温度になる駆動電力であり、前記第４駆動電力は、前記第２姿勢において、前記一対の電極のうち上側となる電極が前記第１姿勢での前記第２駆動における前記電極の第２温度に相当する温度になる駆動電力であることを特徴とする。
【０００８】
放電灯は、前述したように、アーク放電による対流によって上側が下側より高温となる。このため、光軸が水平面に沿う当該プロジェクターの第１姿勢においては、一対の電極の温度は、略同等の温度となるが、第２姿勢においては、第１姿勢における電極の温度に対し、上側に位置する電極の温度が高くなり、下側に位置する電極の温度が低いものとなる。
ここで、光軸が水平面に沿う第１姿勢とは、水平面に対する光軸の角度が０°はもとより、一対の電極の温度が略同等となる姿勢であれば、水平面に対し、光軸が多少の角度を有する姿勢も含むものとする。
この構成によれば、放電灯駆動部は、第１姿勢において、第１駆動電力を放電灯に供給する第１駆動、および第２駆動電力を放電灯に供給する第２駆動を選択的に実行する。これによって、第１姿勢において電極の劣化が抑制されるような電極温度となるように、第１駆動電力、および第２駆動電力が設定されることで、プロジェクターは、例えば、第１駆動を実行する場合に、放電灯の発光輝度を低くし、第２駆動を実行する場合に、放電灯の発光輝度を高くして画像を投写することができる。すなわち、プロジェクターは、例えば、放電灯に第１駆動電力を供給する場合に、電力消費を抑える省エネモードとして画像を投写し、放電灯に第２駆動電力を供給する場合に、高輝度モードとして、より明るい画像を投写することができる。
そして、放電灯駆動部は、第２姿勢において、上述する第３駆動電力以上、第４駆動電力以下の駆動電力を放電灯に供給する。これによって、放電灯は、電極が第２姿勢においても劣化が抑制されるような温度で点灯する。
したがって、第１姿勢および第２姿勢において、長期に亘って所望の明るさの画像を投写するプロジェクターの提供が可能となる。
【０００９】
［適用例２］上記適用例に係るプロジェクターにおいて、前記第２姿勢は、前記光軸が鉛直方向に沿う姿勢であることが好ましい。
【００１０】
この構成によれば、放電灯は、光軸が鉛直方向に沿うように配置された場合であっても、劣化が抑制される。よって、例えば、第１姿勢において横長の画像、および第２姿勢において縦長の画像を長期に亘って安定して投写可能なプロジェクターの提供が可能となる。
【００１１】
［適用例３］上記適用例に係るプロジェクターにおいて、前記光軸が同一方向に沿って配置される複数の前記放電灯を備え、前記放電灯駆動部は、前記第１姿勢において、前記複数の放電灯に前記第１駆動電力、および前記第２駆動電力を選択的に供給可能とし、前記第２姿勢において、前記複数の放電灯に前記第３駆動電力以上、前記第４駆動電力以下の駆動電力を供給することが好ましい。
【００１２】
この構成によれば、プロジェクターは、光軸が同一方向に沿って配置される複数の放電灯を備え、この複数の放電灯には、プロジェクターの姿勢に応じて上述する駆動電力が供給される。これによって、第１姿勢および第２姿勢において、より明るさを高めた画像を長期に亘って投写可能なプロジェクターの提供が可能となる。
【図面の簡単な説明】
【００１３】
【図１】本実施形態のプロジェクターの主な構成を示す模式図。
【図２】本実施形態の光源装置を模式的に示す断面図。
【図３】本実施形態の放電灯の発光部近傍を示す断面図。
【図４】本実施形態の放電灯駆動部の概略構成を示すブロック図。
【図５】本実施形態の放電灯に供給される駆動電流の波形を例示する図。
【図６】本実施形態の駆動電力と電極の温度との関係を例示するグラフ。
【図７】本実施形態における他の駆動電力と電極の温度との関係を例示するグラフ。
【発明を実施するための形態】
【００１４】
以下、本実施形態に係るプロジェクターについて、図面を参照して説明する。
本実施形態のプロジェクターは、光源としての放電灯から射出された光を画像情報に応じて変調し、変調した光をスクリーン等の投写面に拡大投写する。また、本実施形態のプロジェクターは、投写面に横長の画像を投写する横置き姿勢での設置、および投写面に縦長の画像を投写する縦置き姿勢での設置が可能に構成されている。横置き姿勢は、第１姿勢に相当し、縦置き姿勢は、第２姿勢に相当する。
【００１５】
〔プロジェクターの主な構成〕
図１は、本実施形態のプロジェクター１の主な構成を示す模式図である。
プロジェクター１は、図１に示すように、外装を構成する外装筐体２、制御回路部（図示省略）、放電灯４を有する光学ユニット３、直流電源装置７、および放電灯駆動部８を備える。なお、図示は省略するが、外装筐体２の内部には、さらに、外装筐体２内部を冷却する冷却装置等が配置されている。
【００１６】
なお、以下では、説明の便宜上、プロジェクター１から射出される光の方向を＋Ｙ方向（前方向）、横置き姿勢におけるプロジェクター１の上側を＋Ｚ側、横置き姿勢におけるプロジェクター１を後方から見た右側を＋Ｘ側として記載する。また、プロジェクター１は、縦置き姿勢において、横置き姿勢における＋Ｘ側が下方に位置するように配置される。
【００１７】
外装筐体２は、詳細な説明は省略するが、複数の部材が組み合わされて構成され、変調された光が通過する開口部、外気を取り込む吸気口や内部の空気が排出される排気口が設けられている。また、図示は省略するが、外装筐体２には、操作パネルおよびリモコン受光部が配置されており、この操作パネルの操作やリモコン（リモートコントローラー）によるプロジェクター１の各種設定や操作が可能になっている。
【００１８】
制御回路部は、ＣＰＵ（Central Processing Unit）やＲＯＭ（Read Only Memory）、ＲＡＭ（Random Access Memory）等を備え、コンピューターとして機能するものであり、プロジェクター１の動作の制御、例えば、画像の投写に関わる制御や冷却装置の動作に関わる制御等を行う。
【００１９】
光学ユニット３は、放電灯４から射出された光を制御回路部による制御の下、画像情報に応じて変調し、変調した光を投写面に投写する。
光学ユニット３は、図１に示すように、一対の光源装置３１Ａ，３１Ｂ、反射ミラー３１Ｃ、照明光学装置３２、色分離光学装置３３、後述する光変調装置を有する光学装置３４、投写光学装置としての投写レンズ３５、およびこれら各部材３１Ａ，３１Ｂ、３２〜３４を内部に収納する光学部品用筐体３６を備える。
【００２０】
光源装置３１Ａ，３１Ｂは、反射ミラー３１Ｃに向けて光を射出するように反射ミラー３１Ｃを挟んで対向配置されている。そして、光源装置３１Ａ，３１Ｂから射出された光は、反射ミラー３１Ｃにより、光学部品用筐体３６内部に設定された照明光軸Ａｘに沿って反射され、照明光学装置３２に照射される。
【００２１】
照明光学装置３２は、レンズアレイ３２１，３２２、偏光変換素子３２３、および重畳レンズ３２４を備える。レンズアレイ３２１，３２２、および重畳レンズ３２４は、光源装置３１Ａ，３１Ｂから射出された光を光変調装置の表面で略均一化させる。偏光変換素子３２３は、レンズアレイ３２２から射出されたランダム光を光変調装置で利用可能な第１の直線偏光光に揃える。
【００２２】
色分離光学装置３３は、ダイクロイックミラー３３１，３３２、および反射ミラー３３３〜３３６を備え、照明光学装置３２から射出された光を赤色光（Ｒ光）、緑色光（Ｇ光）、および青色光（Ｂ光）に分離する。
【００２３】
光学装置３４は、光変調装置としての３つの液晶パネル３４１（Ｒ光用の液晶パネルを３４１Ｒ、Ｇ光用の液晶パネルを３４１Ｇ、Ｂ光用の液晶パネルを３４１Ｂとする）、各液晶パネル３４１の光入射側、光射出側にそれぞれ配置された入射側偏光板３４２、射出側偏光板３４３、および色合成光学装置としてのクロスダイクロイックプリズム３４４を備える。
液晶パネル３４１は、図示しない複数の微小画素がマトリックス状に設けられた矩形状の画像形成領域を有し、各画素が画像情報に応じた光透過率に設定される。色分離光学装置３３で分離された各色光は、各液晶パネル３４１にて画像情報に応じてそれぞれ変調され、クロスダイクロイックプリズム３４４にて合成され、投写レンズ３５にてスクリーン等（図示略）に投写される。
【００２４】
直流電源装置７は、外部の交流電源から供給される交流電圧を一定の直流電圧に変換する。
放電灯駆動部８は、後で詳細に説明するが、直流電源装置７から出力される直流電圧を有する電力を、交流電流を有する駆動電力に変換し、放電灯４に供給する。また、放電灯駆動部８は、プロジェクター１の横置き姿勢（第１姿勢）と縦置き姿勢（第２姿勢）とで異なる大きさの駆動電力を放電灯４に供給する。
【００２５】
〔光源装置の構成〕
ここで、光源装置３１Ａ，３１Ｂについて、詳細に説明する。光源装置３１Ａ，３１Ｂは、同様に構成されているので、光源装置３１Ａに注目して説明する。
図２は、光源装置３１Ａを模式的に示す断面図である。
光源装置３１Ａは、図２に示すように、超高圧水銀ランプやメタルハライドランプ等からなる放電灯４、リフレクター４Ｍ、および放電灯４、リフレクター４Ｍを収納する光源装置用筐体（図示省略）を備える。
【００２６】
放電灯４は、図２に示すように、発光管４１、電極５，６、接続部材４２ａ，４２ｂ、およびリード端子４３ａ，４３ｂを備える。
発光管４１は、石英ガラス等の透光性材料で形成され、図２に示すように、中央に設けられた球状の発光部４１０、およびこの発光部４１０の両側からそれぞれ延出する封止部４１ａ，４１ｂを有している。
【００２７】
発光部４１０内には、水銀、希ガス、およびハロゲン等が封入された放電空間４１Ｓが設けられている。
一対の電極５，６は、例えば、タングステン等の高融点金属材料で形成されており、互いの一端がこの放電空間４１Ｓ内に近接対向して配置される。また、一対の電極５，６は、放電灯４の光源光軸４Ａｘに沿って配置される。
【００２８】
接続部材４２ａ，４２ｂは、例えば、モリブデン箔等の材料で形成されている。接続部材４２ａは、一端が電極５に接続され、封止部４１ａ内に配置され、接続部材４２ｂは、一端が電極６に接続され、封止部４１ｂ内に配置される。
リード端子４３ａ，４３ｂは、例えば、タングステン等の材料で形成されている。リード端子４３ａは、一端が接続部材４２ａに接続され、他端が封止部４１ａの外部から放電灯駆動部８に接続され、リード端子４３ｂは、一端が接続部材４２ｂに接続され、他端が封止部４１ｂの外部から放電灯駆動部８に接続されている。そして、放電灯４は、リード端子４３ａ，４３ｂに放電灯駆動部８から電力が供給されると、対向している電極５，６の間で放電が発生して光を射出する。
【００２９】
リフレクター４Ｍは、図２に示すように、筒状の首状部４Ｍａおよび首状部４Ｍａから断面略凹状に拡がる反射部４Ｍｂを有している。
首状部４Ｍａには、封止部４１ａが挿通される挿通孔が設けられており、放電灯４は、封止部４１ｂが首状部４Ｍａとは反対側に位置し、封止部４１ａとこの挿通孔との間に接着剤が注入されて、リフレクター４Ｍに固定される。
反射部４Ｍｂは、内面に金属薄膜が蒸着されており、発光部４１０から射出された光を首状部４Ｍａとは反対側に反射する。
なお、発光部４１０に対し、首状部４Ｍａが配置される側と反対側の曲面を覆うように配置され、発光部４１０から射出された光を反射部４Ｍｂに向かって反射する副反射鏡を備えるように、光源装置３１Ａ，３１Ｂを構成してもよい。
【００３０】
さらに、放電灯４の電極５，６近傍について詳細に説明する。
図３は、放電灯４の発光部４１０近傍を示す断面図である。
電極５は、図３に示すように、芯棒５１、コイル部５２、および本体部５３を有している。電極５は、発光部４１０内への封入前の段階において、芯棒５１に電極材（タングステン等）の線材を巻き付けてコイル部５２を形成し、形成されたコイル部５２を加熱、溶融することにより形成される。これにより、電極５の先端側には、熱容量が大きい本体部５３が形成される。電極６も電極５と同様に、芯棒６１、コイル部６２、および本体部６３を有しており、電極５と同様に形成される。
【００３１】
放電灯４は、後述する駆動電力が供給されると、図３に示すように、本体部５３，６３の先端にそれぞれ突起５３１，６３１が形成される。そして、放電灯４は、この突起５３１，６３１間にアーク放電ＡＲが発生して光を射出する。すなわち、放電灯４は、突起５３１，６３１が維持されることで、アーク放電ＡＲが安定し、効率良く光を射出する。また、この突起５３１，６３１は、消灯後も維持される。
【００３２】
光源装置３１Ａ，３１Ｂは、図１に示すように、それぞれの光源光軸４Ａｘが同一方向（±Ｘ方向）に沿って延出するように配置される。すなわち、光源装置３１Ａ，３１Ｂは、光源光軸４Ａｘが投写レンズ３５の投写光軸３５Ａｘに直交する方向に沿うように配置される。そして、光源装置３１Ａ，３１Ｂは、横置き姿勢（第１姿勢）において、光源光軸４Ａｘが略水平面に沿うように配置され、縦置き姿勢（第２姿勢）において、光源光軸４Ａｘが略水平面に交差し、鉛直方向に沿うように配置される。そして、プロジェクター１は、横置き姿勢において横長の画像を投写し、横置き姿勢に対して投写光軸３５Ａｘに沿う方向に延出する中心軸を中心に９０°回転された縦置き姿勢において縦長の画像を投写する。また、光源装置３１Ａ，３１Ｂそれぞれは、外装筐体２外部から交換可能に構成されている。
【００３３】
〔放電灯駆動部の構成〕
次に、放電灯駆動部８の主な構成について説明する。
放電灯駆動部８は、電極５，６に駆動電流Ｉを供給し、放電灯４を点灯させる。
図４は、放電灯駆動部８の概略構成を示すブロック図である。
放電灯駆動部８は、図４に示すように、電力制御部８１、極性反転部８２、および駆動制御部８３を備える。
【００３４】
電力制御部８１は、例えば、ダウンチョッパー回路を有して構成され、直流電源装置７から出力される直流電圧を降圧して直流電流Ｉｄを出力する。
極性反転部８２は、例えば、インバーターブリッジ回路（フルブリッジ回路）を有して構成され、電力制御部８１から出力される直流電流Ｉｄを、所与のタイミングで極性反転させることにより、任意の周波数をもつ駆動電流Ｉを生成し、放電灯４に出力する。
【００３５】
駆動制御部８３は、電力制御部８１および極性反転部８２を制御することにより、駆動電流Ｉの電流値、周波数等を制御する。具体的に、駆動制御部８３は、電力制御部８１に対し、直流電流Ｉｄの電流値を制御し、極性反転部８２に対して、駆動電流Ｉの極性反転のタイミング等を制御する。なお、駆動制御部８３は、専用回路により構成されてもよく、制御回路部に含まれるように構成してもよい。
【００３６】
このように、放電灯駆動部８は、駆動電流Ｉを有する駆動電力を生成し、リード端子４３ａ，４３ｂを介してこの駆動電力を電極５，６に供給する。電子が衝突する陽極の温度は、電子を放出する陰極の温度と比べて高くなりやすくなるが、電極５，６は、上述したように、極性が交互に反転するので、一方の電極の温度が他方の電極の温度より過剰に高い状態が続くことが抑制される。そして、電極５，６は、適切な駆動電力が供給されることにより、ハロゲンサイクルによって突起５３１，６３１が維持される。
【００３７】
また、異なる周波数の駆動電流Ｉを放電灯４に供給するように、放電灯駆動部８を構成してもよい。
図５は、放電灯４に供給される駆動電流Ｉの波形を例示する図である。
放電灯駆動部８は、例えば、図５に示すように、矩形波で形成された、第１の駆動電流Ｉ1（高周波数の交流電流）と、第１の駆動電流Ｉ1よりも周波数の低い第２の駆動電流Ｉ2（低周波数の交流電流）とが交互に繰り返されるような駆動電流Ｉを生成し、この駆動電流Ｉを放電灯４に供給する。例えば、第１の駆動電流Ｉ1の周波数は、１ｋＨｚを超える周波数であり、第２の駆動電流Ｉ2の周波数は、５００Ｈｚ以下の周波数が設定される。なお、駆動電流Ｉは、矩形波に限らず、例えば、正弦波や、三角波であってもよい。また、駆動電流Ｉは、交流電流と直流電流とを交互に繰り返す波形にしてもよい。
【００３８】
また、図示は省略するが、定常周波数（例えば、６０〜１ｋＨｚ）の交流電流の中に、低周波数（例えば、５〜２００Ｈｚ）の交流電流を短時間（例えば、半周期分や数周期分）、定期的に挿入するように構成してもよい。なお、半周期の低周波数の交流電流を挿入する構成の場合、交互に異なる極性で挿入するように構成してもよい。
【００３９】
このように、異なる周波数の駆動電流Ｉを放電灯４に供給することで、陽極、陰極となる電極５，６の時間を制御し、突起５３１，６３１の過剰な溶融や細りを制御し、突起５３１，６３１を維持することが可能となる。
【００４０】
〔放電灯の駆動電力〕
放電灯４の劣化を抑制するためには、駆動電力の範囲も制限されたものとなる。また、プロジェクター１は、横置き姿勢（第１姿勢）において、放電灯４の発光輝度を低くして低電力で放電灯４を駆動させ電力消費を抑える省エネモード、および省エネモードに比べ、放電灯４の発光輝度をより高くして高電力（例えば定格電力）で放電灯４を駆動させより明るい画像を投写する高輝度モード等複数のモードの中から選択的に駆動可能に構成されている。すなわち、放電灯４には、省エネモードと高輝度モードとで、異なる大きさの駆動電力が供給される。
【００４１】
図６は、駆動電力Ｗと電極５，６の温度との関係を例示するグラフであり、非接触の温度計（例えば、放射温度計）を用いて測定したデータに基づくグラフである。
光源装置３１Ａ，３１Ｂは、横置き姿勢において、光源光軸４Ａｘが略水平面に沿うように配置されるので、電極５が陽極となる期間における電力平均値と電極６が陽極となる期間における電力平均値とが略同等の駆動電力が放電灯４に供給された場合、電極５，６は、略同様に温度上昇する。そして、図６に示すように、横置き姿勢における駆動電力Ｗと、電極５，６の温度との関係を示すカーブ１０Ｈは、駆動電力Ｗが大きい程、温度が高い一次関数に近似できるカーブとなる。
【００４２】
一方、縦置き姿勢において、光源装置３１Ａ，３１Ｂは、光源光軸４Ａｘが鉛直方向に沿うように配置されるので、電極５，６も鉛直方向に沿うように配置される。すなわち、＋Ｘ側（図１参照）が下方に位置する縦置き姿勢においては、光源装置３１Ａは、電極６が電極５の上方に位置し、光源装置３１Ｂは、電極５が電極６の上方に位置するように配置される。
【００４３】
放電灯は、電極５，６間のアーク放電ＡＲの発生によって、放電空間４１Ｓ内に対流が生じ、上側が下側より高温になるため、光源装置３１Ａにおいては、電極５より電極６の温度が高くなり、光源装置３１Ｂにおいては、電極６より電極５の温度が高くなる。
【００４４】
具体的に、縦置き姿勢における駆動電力Ｗと、電極５，６のうちの上側となる電極の温度との関係を示すカーブ１０Ｖｕは、横置き姿勢における駆動電力Ｗと、電極５，６の温度との関係を示すカーブ１０Ｈより温度が高い側に位置する一次関数に近似できるカーブとなる。そして、縦置き姿勢における駆動電力Ｗと、電極５，６のうちの下側となる電極の温度との関係を示すカーブ１０Ｖｄは、カーブ１０Ｈより温度が低い側に位置する一次関数に近似できるカーブとなる。
【００４５】
放電灯駆動部８は、横置き姿勢において、操作パネルやリモコンによるユーザーの操作に基づいて、相対的に低電力である第１駆動電力Ｗ１により放電灯４を駆動させる省エネモード（第１駆動）、および第１駆動電力Ｗ１より大きく相対的に高電力である第２駆動電力Ｗ２により放電灯４を駆動させる高輝度モード（第２駆動）を選択的に実行する。本実施形態において、図６に示すように、例えば、第１駆動電力Ｗ１が２６０Ｗ（ワット）程度、第２駆動電力Ｗ２が３８０Ｗ（ワット）程度に設定されている。
【００４６】
横置き姿勢における電極５，６は、図６に示すように、第１駆動電力Ｗ１による第１駆動の場合、第１温度Ｔ１となり、第２駆動電力Ｗ２による第２駆動の場合、第２温度Ｔ２となる。電極５，６の第１温度Ｔ１以上、第２温度Ｔ２以下の範囲における温度は、電極５，６の劣化が抑制され、放電灯４が効率良く光を発する温度である。すなわち、電極５，６が第２温度Ｔ２を超える温度になると、突起５３１，６３１の過剰な溶融等が発生し、電極５，６が第１温度Ｔ１を下回る温度になると、突起５３１，６３１の細りや、発光部４１０の内壁に黒化等が生じ、放電灯４の輝度低下やちらつきが発生するが、電極５，６が第１温度Ｔ１以上、第２温度Ｔ２以下の範囲内の温度であればこれらの劣化が抑制される。
【００４７】
そして、放電灯駆動部８は、縦置き姿勢において、図６に示すように、第１駆動電力Ｗ１と、第２駆動電力Ｗ２との間の大きさの、第３駆動電力Ｗ３以上、第４駆動電力Ｗ４以下の範囲の駆動電力Ｗを放電灯４に供給する。
具体的に、第３駆動電力Ｗ３は、縦置き姿勢において、一対の電極５，６のうち下側となる電極が横置き姿勢での第１駆動における電極５，６の第１温度Ｔ１に相当する温度になる駆動電力である。
そして、第４駆動電力Ｗ４は、縦置き姿勢において、一対の電極５，６のうち上側となる電極が横置き姿勢での第２駆動における電極５，６の第２温度Ｔ２に相当する温度になる駆動電力である。
本実施形態では、第３駆動電力Ｗ３が３１０Ｗ（ワット）程度、第４駆動電力Ｗ４が３２５Ｗ（ワット）程度に設定されている。
【００４８】
このように、縦置き姿勢においても、放電灯４は、電極５，６が第１温度Ｔ１以上、第２温度Ｔ２以下の温度となるので、劣化が抑制され、効率良く光を発する。また、縦置き姿勢において、第３駆動電力Ｗ３が供給される場合を省エネモード、第４駆動電力Ｗ４が供給される場合を高輝度モードとしてもよく、第３駆動電力Ｗ３から第４駆動電力Ｗ４の間を可変できるように構成してもよい。
【００４９】
なお、横置き姿勢時と縦置き姿勢時との駆動電力Ｗの切替えは、プロジェクター１に姿勢を検出する検出部を設け、この検出部の検出結果に基づいて、駆動電力Ｗが切り替わるように構成してもよい。また、光源装置３１Ａ，３１Ｂの光源用筐体を横置き姿勢用と、縦置き姿勢用とで形状が異なるように形成し、この形状の違いを検出する検出部をプロジェクター１の内部に設け、この検出部の検出結果に基づいて、駆動電力Ｗが切り替わるように構成してもよい。また、操作パネルやリモコンによるユーザーの操作に基づいて、駆動電力Ｗが切り替わるように構成してもよい。
【００５０】
また、駆動電力Ｗと電極５，６の温度との関係を示すカーブの傾きは、放電灯４を構成する部材の大きさや用いられる材料の種類等によって変わる。
図７は、他の駆動電力Ｗと電極の温度との関係を例示するグラフであり、図６で説明した放電灯４とは異なる種類の放電灯に対応する関係を例示するグラフである。図７において、カーブ２０Ｈは、横置き姿勢における駆動電力Ｗと、電極の温度との関係を示すカーブであり、カーブ２０Ｖｕは、縦置き姿勢における駆動電力Ｗと、上側となる電極の温度との関係を示すカーブであり、カーブ２０Ｖｄは、縦置き姿勢における駆動電力Ｗと、下側となる電極の温度との関係を示すカーブである。
【００５１】
図７に示すように、カーブ２０Ｖｕがカーブ２０Ｈより温度が高い側に位置し、カーブ２０Ｖｄがカーブ２０Ｈより温度が低い側に位置する関係は、図６で示した関係と同様であるが、カーブ２０Ｈ，２０Ｖｕ，２０Ｖｄの傾きは、図６で示したカーブ１０Ｈ，１０Ｖｕ，１０Ｖｄとは異なっている。
【００５２】
そして、放電灯駆動部８は、図７に示すように、横置き姿勢において、省エネモード（第１駆動）時には、第１駆動電力Ｗ１０を放電灯に供給し、高輝度モード（第２駆動）時には、第２駆動電力Ｗ２０を放電灯に供給する。横置き姿勢における電極は、図７に示すように、第１駆動電力Ｗ１０が供給される第１駆動の場合、第１温度Ｔ１０となり、第２駆動電力Ｗ２０が供給される第２駆動の場合、第２温度Ｔ２０となる。電極５，６の第１温度Ｔ１０以上、第２温度Ｔ２０以下の温度は、前述した第１温度Ｔ１以上、第２温度Ｔ２以下の範囲の温度と同様に、電極の劣化が抑制され、放電灯が効率良く光を発する温度である。
【００５３】
そして、放電灯駆動部８は、縦置き姿勢において、図７に示すように、下側の電極が横置き姿勢における電極の第１温度Ｔ１０に相当する温度になる第３駆動電力Ｗ３０以上であり、且つ、上側の電極が横置き姿勢における電極の第２温度Ｔ２０に相当する温度になる第４駆動電力Ｗ４０以下の駆動電力を、放電灯に供給する。この放電灯では、第３駆動電力Ｗ３０と第４駆動電力Ｗ４０とは、略同様の３１０Ｗ（ワット）程度が設定されている。
【００５４】
以上説明したように、本実施形態によれば、以下の効果を得ることができる。
（１）横置き姿勢において電極５，６の劣化が抑制されるような電極温度となるように、第１駆動電力Ｗ１、および第２駆動電力Ｗ２が設定されるので、プロジェクター１は、例えば、第１駆動電力Ｗ１を供給する場合に、省エネモードとして画像を投写し、第２駆動電力Ｗ２を供給する場合に、高輝度モードとして、より明るい画像を投写することができる。
そして、放電灯駆動部８は、縦置き姿勢において、第３駆動電力Ｗ３以上で第４駆動電力Ｗ４以下の駆動電力Ｗを放電灯に供給する。これによって、放電灯４は、電極５，６が、縦置き姿勢においても劣化が抑制されるような温度で点灯する。
したがって、横置き姿勢および縦置き姿勢において、長期に亘って所望の明るさの画像を投写するプロジェクター１の提供が可能となる。
【００５５】
（２）放電灯４は、光源光軸４Ａｘが水平面に沿う方向、および光源光軸４Ａｘが鉛直方向に沿う方向で劣化が抑制されるので、プロジェクター１は、横置き姿勢において横長の画像、および縦置き姿勢において縦長の画像を長期に亘って安定して投写することが可能となる
【００５６】
（３）プロジェクター１は、光源光軸４Ａｘが同一方向に沿って配置される複数の光源装置３１Ａ，３１Ｂを備え、この複数の光源装置３１Ａ，３１Ｂには、プロジェクター１の姿勢に応じて上述する駆動電力Ｗが供給される。これによって、横置き姿勢および縦置き姿勢において、より明るさを高めた画像を長期に亘って投写可能なプロジェクター１の提供が可能となる。
【００５７】
（変形例）
なお、前記実施形態は、以下のように変更してもよい。
前記実施形態のプロジェクター１は、光源光軸４Ａｘが投写レンズ３５の投写光軸３５Ａｘに直交する方向に沿うように、光源装置３１Ａ，３１Ｂが配置されているが、光源光軸４Ａｘが投写レンズ３５の投写光軸３５Ａｘに平行な方向に沿うように、光源装置３１Ａ，３１Ｂが配置されるように構成してもよい。この構成の場合、投写光軸３５Ａｘに直交する方向に沿う中心軸を中心にプロジェクターを回転させた姿勢においても、放電灯の劣化が抑制されるので、プロジェクターは、この中心軸を中心に３６０°回転される範囲内で安定した投写が可能となる。よって、様々なシーンに対応させて設置できるプロジェクターの提供が可能となる。
【００５８】
前記実施形態では、光源光軸４Ａｘが鉛直方向に沿うように配置される姿勢を第２姿勢としたが、光源光軸４Ａｘが水平面に交差するような姿勢であれば、この姿勢を第２姿勢としてもよい。
【００５９】
前記実施形態のプロジェクター１は、２つの光源装置３１Ａ，３１Ｂを備えているが、これに限らず、１つあるいは３つ以上の光源装置を備えるように構成してもよい。
【００６０】
前記実施形態のプロジェクター１は、光変調装置として透過型の液晶パネル３４１を用いているが、反射型の液晶パネルを利用したものであってもよい。
また、前記実施形態の光変調装置は、Ｒ光、Ｇ光、およびＢ光に対応する３つの光変調装置を用いるいわゆる３板方式を採用しているが、これに限らず、単板方式を採用してもよく、あるいは、２つまたは４つ以上の光変調装置を備えるプロジェクターにも適用できる。
また、光変調装置としてマイクロミラー型の光変調装置、例えば、ＤＭＤ（Digital Micromirror Device）等を利用したものであってもよい。
【符号の説明】
【００６１】
１…プロジェクター、２…外装筐体、３…光学ユニット、４…放電灯、４Ａｘ…光源光軸、４Ｍ…リフレクター、５，６…電極、８…放電灯駆動部、３１Ａ，３１Ｂ…光源装置、４１…発光管、４１Ｓ…放電空間、８１…電力制御部、８２…極性反転部、８３…駆動制御部、３４１…液晶パネル、５３１，６３１…突起、Ｔ１，Ｔ１０…第１温度、Ｔ２，Ｔ２０…第２温度、Ｗ１，Ｗ１０…第１駆動電力、Ｗ２，Ｗ２０…第２駆動電力、Ｗ３，Ｗ３０…第３駆動電力、Ｗ４，Ｗ４０…第４駆動電力。
【図１】
2015187682.tif 000003
【図２】
2015187682.tif 000004
【図３】
2015187682.tif 000005
【図４】
2015187682.tif 000006
【図５】
2015187682.tif 000007
【図６】
2015187682.tif 000008
【図７】
2015187682.tif 000009